(57)【要約】【課題】製造工程を増やすことなくシワを抑制できる光学部材の製造方法を提供する。【解決手段】映像源ＬＳから投射された映像光を観察者側へ反射し、かつ、透明性を有する光学機能層１０と、映像源ＬＳ側に設けられた透明性を有する第１支持体２０と、光学機能層１０と第１支持体２０との間に配置され、光学機能層１０に直接接着している第１接着層４０と、背面側に設けられた透明性を有する第２支持体３０と、光学機能層１０と第２支持体３０との間に配置され、光学機能層１０に直接接着している第２接着層５０と、を備えるスクリーン１００を製造する光学部材の製造方法であって、光学機能層作製工程は、第１接着層４０及び第２接着層５０と同一の素材を基材として用いて光学機能層１０の作製を行う。【選択図】図１
2020144174.tif 000002
【特許請求の範囲】
【請求項１】
映像源から投射された映像光を観察者側へ反射し、かつ、透明性を有する光学機能層と、
前記光学機能層よりも前記映像源側に設けられた透明性を有する第１支持体と、
前記光学機能層と前記第１支持体との間に配置され、前記光学機能層に直接接着している第１接着層と、
前記映像源側とは反対の背面側に設けられた透明性を有する第２支持体と、
前記光学機能層と前記第２支持体との間に配置され、前記光学機能層に直接接着している第２接着層と、
を備える光学部材を製造する光学部材の製造方法であって、
前記光学機能層を作製する光学機能層作製工程と、
前記第１支持体と、前記第１接着層と、前記光学機能層と、前記第２接着層と、前記第２支持体と、を接着する接着工程と、
を備え、
前記光学機能層作製工程は、前記第１接着層及び前記第２接着層と同一の素材を基材として用いて前記光学機能層の作製を行う光学部材の製造方法。
【請求項２】
請求項１に記載の光学部材の製造方法において、
前記光学機能層は、
光透過性を有する層であって、当該光学部材の厚み方向の背面側の面に、映像光が入射する第１の面とこれに対向する第２の面とを有する単位光学形状が複数配列されて形成された第１光学形状層と、
前記単位光学形状の少なくとも前記第１の面の一部に形成され、入射した光の少なくとも一部を反射し、その他の光を透過する機能を有する反射層と、
前記反射層よりも背面側に設けられた光透過性を有する層であって、前記単位光学形状の間の谷部を充填するように積層された第２光学形状層と、
を備え、
接着工程は、前記第１接着層を前記第１光学形状層に直接接着し、前記第２接着層を前記第２光学形状層に直接接着すること、
を特徴とする光学部材の製造方法。
【請求項３】
請求項２に記載の光学部材の製造方法において、
接着工程は、前記第１接着層を第１支持体に直接接着し、前記第２接着層を第２支持体に直接接着すること、
を特徴とする光学部材の製造方法。
【請求項４】
請求項１から請求項３までのいずれかに記載の光学部材の製造方法において、
前記第２支持体は、光吸収性を有する構成として作製されること、
を特徴とする光学部材の製造方法。
【発明の詳細な説明】
【技術分野】
【０００１】
本発明は、光学部材の製造方法に関するものである。
【背景技術】
【０００２】
従来、映像源から投射された映像光を反射して表示する光学部材として、様々なものが開発されている。なかでも、透明性を有する光学部材は、窓ガラス等のように透光性の高い部材と一体化した合わせ板として作製されると、投射された映像光を反射して良好に映像が視認でき、かつ、映像光を投射しない不使用時等には光学部材の向こう側の景色が透けて見えるため、意匠性の高さ等から需要が高まっている。
【０００３】
映像光を反射する透明性を備えた層（以下、光学機能層と呼ぶ）は、従来、樹脂フィルム等の基材の上に形成される積層構造となっていた。これらを２枚の板（例えば、ガラス板）で挟み込む合わせ板として作製する場合には、光学機能層と板との間に接着層を挿入し熱接着する必要がある。しかし、接着層と基材の熱収縮率や熱膨張率の差によりシワが発生し、投影像や透過像が歪むおそれがあった。
【０００４】
特許文献１には、シワの発生を抑制するために、基材の上に光学機能層（映像投影層）を形成した後に基材を剥離する手法が開示されている。しかし、特許文献１に開示されている手法では、基材を剥離する工程が必要であることから、製造工程が煩雑であり、また、製造工程が増えることから歩留まりが低下するおそれもあった。
【先行技術文献】
【特許文献】
【０００５】
【特許文献１】特開２０１８−３１９４１号公報
【発明の概要】
【発明が解決しようとする課題】
【０００６】
本発明の課題は、製造工程を増やすことなくシワを抑制できる光学部材の製造方法を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
【０００８】
第１の発明は、映像源（ＬＳ）から投射された映像光を観察者側へ反射し、かつ、透明性を有する光学機能層（１０）と、前記光学機能層（１０）よりも前記映像源（ＬＳ）側に設けられた透明性を有する第１支持体（２０）と、前記光学機能層（１０）と前記第１支持体（２０）との間に配置され、前記光学機能層（１０）に直接接着している第１接着層（４０）と、前記映像源（ＬＳ）側とは反対の背面側に設けられた透明性を有する第２支持体（３０）と、前記光学機能層（１０）と前記第２支持体（３０）との間に配置され、前記光学機能層（１０）に直接接着している第２接着層（５０）と、を備える光学部材（１００）を製造する光学部材（１００）の製造方法であって、前記光学機能層（１０）を作製する光学機能層作製工程と、前記第１支持体（２０）と、前記第１接着層（４０）と、前記光学機能層（１０）と、前記第２接着層（５０）と、前記第２支持体（３０）と、を接着する接着工程と、を備え、前記光学機能層作製工程は、前記第１接着層（４０）及び前記第２接着層（５０）と同一の素材を基材として用いて前記光学機能層（１０）の作製を行う光学部材（１００）の製造方法である。
【０００９】
第２の発明は、第１の発明に記載の光学部材（１００）の製造方法において、前記光学機能層（１０）は、光透過性を有する層であって、当該光学部材（１００）の厚み方向の背面側の面に、映像光が入射する第１の面（１２１ａ）とこれに対向する第２の面（１２１ｂ）とを有する単位光学形状（１２１）が複数配列されて形成された第１光学形状層（１２）と、前記単位光学形状（１２１）の少なくとも前記第１の面（１２１ａ）の一部に形成され、入射した光の少なくとも一部を反射し、その他の光を透過する機能を有する反射層（１３）と、前記反射層（１３）よりも背面側に設けられた光透過性を有する層であって、前記単位光学形状（１２１）の間の谷部を充填するように積層された第２光学形状層（１４）と、を備え、接着工程は、前記第１接着層（４０）を前記第１光学形状層（１２）に直接接着し、前記第２接着層（５０）を前記第２光学形状層（１４）に直接接着すること、を特徴とする光学部材（１００）の製造方法である。
【００１０】
第３の発明は、第２の発明に記載の光学部材（１００）の製造方法において、接着工程は、前記第１接着層（４０）を第１支持体（２０）に直接接着し、前記第２接着層（５０）を第２支持体（３０）に直接接着すること、を特徴とする光学部材（１００）の製造方法である。
【００１１】
第４の発明は、第１の発明から第３の発明までのいずれかに記載の光学部材（１００）の製造方法において、前記第２支持体（３０）は、光吸収性を有する構成として作製されること、を特徴とする光学部材（１００）の製造方法である。
【発明の効果】
【００１２】
本発明によれば、製造工程を増やすことなくシワを抑制できる光学部材の製造方法を提供することができる。
【図面の簡単な説明】
【００１３】
【図１】実施形態の映像表示装置１を示す斜視図である。
【図２】映像表示装置１を側面から見た図である。
【図３】実施形態のスクリーン１００の層構成の一例を示す図である。
【図４】実施形態の第１光学形状層１２を説明する図である。
【図５】スクリーン１００の製造方法を説明する図である。
【発明を実施するための形態】
【００１４】
以下、本発明を実施するための最良の形態について図面等を参照して説明する。なお、図１を含め、以下に示す各図は、模式的に示した図であり、各部の大きさ、形状は、理解を容易にするために、適宜誇張している。
本明細書中において、記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、シート面とは、各シートにおいて、そのシート全体として見たときにおける、シートの平面方向となる面を示すものであるとする。なお、板面、フィルム面についても同様である。
【００１５】
（実施形態）
図１は、実施形態の映像表示装置１を示す斜視図である。
図２は、映像表示装置１を側面から見た図である。
映像表示装置１は、スクリーン１００、映像源ＬＳ等を有している。本実施形態のスクリーン（光学部材）１００は、映像源ＬＳから投影された映像光Ｌを反射して、画面上に映像を表示する反射スクリーンである。このスクリーン１００の詳細に関しては、後述する。
本実施形態では、一例として、映像表示装置１は、建物の窓ガラスやショーウィンドウ等に代えてスクリーン１００が配置され、このスクリーン１００へ映像源ＬＳから映像光Ｌを投影するものとして説明する。
【００１６】
ここで、理解を容易にするために、図１を含め以下に示す各図において、適宜、ＸＹＺ直交座標系を設けて示している。この座標系では、スクリーン１００の画面の水平方向（左右方向）をＸ方向、鉛直方向（上下方向）をＹ方向とし、スクリーン１００の厚み方向をＺ方向とする。スクリーン１００の画面は、ＸＹ面に平行であり、スクリーン１００の厚み方向（Ｚ方向）は、スクリーン１００の画面に直交する。
また、スクリーン１００の映像源側の正面方向に位置する観察者Ｏ１から見て水平方向の右側に向かう方向を＋Ｘ方向、鉛直方向の上側に向かう方向を＋Ｙ方向、厚み方向において背面側（裏面側）から映像源側に向かう方向を＋Ｚ方向とする。
さらに、以下の説明中において、画面上下方向、画面左右方向、厚み方向とは、特に断りが無い場合、このスクリーン１００の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１７】
映像源ＬＳは、映像光Ｌをスクリーン１００へ投影する映像投射装置であり、例えば、短焦点型のプロジェクタである。
この映像源ＬＳは、映像表示装置１の使用状態において、スクリーン１００の画面（表示領域）を正面方向（スクリーン面の法線方向）から見た場合に、スクリーン１００の画面左右方向の中央であって、スクリーン１００の画面よりも鉛直方向下方側に位置している。
映像源ＬＳは、奥行き方向（Ｚ方向）において、スクリーン１００の表面からの距離が、従来のスクリーンの画面正面方向に位置する汎用プロジェクタに比べて大幅に近い位置から斜めに映像光Ｌを投影できる。したがって、従来の汎用プロジェクタに比べて、映像源ＬＳは、スクリーン１００までの投射距離が短く、投射された映像光Ｌがスクリーン１００に入射する入射角度が大きく、入射角度の変化量（入射角度の最小値から最大値までの変化量）も大きい。
【００１８】
スクリーン１００は、映像源ＬＳが投射した映像光Ｌを映像源側（＋Ｚ側）の正面方向に位置する観察者Ｏ１側へ向けて反射して、観察者Ｏ１に映像を表示でき、かつ、スクリーン１００の向こう側の景色を観察できる透明性を有する半透過型の反射スクリーンである。
スクリーン１００の画面（表示領域）は、使用状態において、観察者Ｏ１側から見て長辺方向が画面左右方向となる略矩形状である。また、スクリーン１００は、その画面サイズは、任意に設定可能であるが、例えば、対角４０〜１００インチ程度であり、画面の横縦比が１６：９とすることができる。
なお、これに限らず、スクリーン１００は、例えば、観察者Ｏ１側から見た形状を他の形状としてもよいし、その画面サイズを４０インチ以下の大きさとしてもよく、使用目的や使用環境等に応じて、その大きさや形状は適宜選択できるものとする。
【００１９】
スクリーン１００は、ガラス板により構成された第１支持体２０と第２支持体３０がその表裏面に一体となって設けられており、全体の形状（不図示）は、設置場所の窓の大きさ及び形状に合わせた形状となっている。したがって、スクリーン１００の画面（表示領域）は、全体の形状の一部領域として構成してもよい。
【００２０】
図３は、実施形態のスクリーン１００の層構成の一例を示す図である。図３では、スクリーン１００の画面中央（画面の幾何学的中心）となる点Ａ（図１参照）を通り、画面上下方向（Ｙ方向）に平行であって、スクリーン面に直交（Ｚ方向に平行）する断面として示している。
図４は、実施形態の第１光学形状層１２を説明する図である。図４は、第１光学形状層１２を背面側（−Ｚ側）から見た図であり、理解を容易にするために、反射層１３等を省略して示している。
スクリーン１００は、図２に示すように、厚み方向（Ｚ方向）において、その映像源側（＋Ｚ側）から順に、第１支持体２０、第１接着層４０、光学機能層１０、第２接着層５０、第２支持体３０等を備えている。
【００２１】
第１支持体２０は、映像源側の表面に配置されている。
第２支持体３０は、背面側の表面に配置されている。
第１支持体２０及び第２支持体３０は、いずれも光透過性を有するガラス板により形成されている。後述の光学機能層１０は、樹脂製の薄い層の積層体等であり、それ単独では形状を維持するだけの十分な剛性を有していない。そのため、本実施形態のスクリーン１００は、第１支持体２０と第２支持体３０との間に光学機能層１０を配置してこれらを張り合わせた、合わせ板（合わせガラス）の構成として、画面の形状を維持している。なお、本実施形態では、図１等に示すように、スクリーン１００は、平面であることから、第１支持体２０及び第２支持体３０は、平板形状のガラス板を用いているが、曲面ガラスを用いて、曲面のスクリーンを構成してもよい。
【００２２】
また、第１支持体２０は、可視光に対して透明であるが、第２支持体３０は、そのさらに背面側に、光吸収膜を積層したり、第２支持体３０を構成するガラス自体を着色したりして、光吸収性を有する光吸収層としての機能も備えて構成してもよい。第２支持体３０に光吸収層としての機能を与えることにより、スクリーン１００に入射する照明光等の不要な外光や迷光を吸収し、映像のコントラストを向上させることができる。
【００２３】
第１接着層４０は、第１支持体２０と光学機能層１０との間に挟まれて配置されており、両者を接着する層である。
第２接着層５０は、第２支持体３０と光学機能層１０との間に挟まれて配置されており、両者を接着する層である。
第１接着層４０及び第２接着層５０は、例えば、ガラス転移点Ｔｇが低いＰＶＢ（ポリビニルブチラール）やＣＯＰ（シクロオレフィンポリマー）、ＥＶＡ（エチレン酢酸ビニルコポリマー）等、一般的に合わせガラス中間膜として使用される材料を用いることができる。
【００２４】
光学機能層１０は、映像源ＬＳから投射された映像光を観察者側へ反射する機能を備え、かつ、透明性を備えている。
第１光学形状層１２は、光学機能層１０の映像源側（＋Ｚ側）に構成された光透過性を有する層である。第１光学形状層１２の背面側（−Ｚ側）の面には、単位光学形状１２１が複数配列されて設けられている。
単位光学形状１２１は、図４に示すように、真円の一部形状（円弧状）であり、スクリーン１００の画面（表示領域）外に位置する点Ｃを中心として、同心円状に複数配列されている。即ち、第１光学形状層１２は、点Ｃを中心（フレネルセンター）とする、いわゆるオフセット構造のサーキュラーフレネルレンズ形状を、その背面側に有している。
本実施形態では、図４に示すように、第１光学形状層１２をスクリーン面の法線方向背面側から見たときに、点Ｃは、画面左右方向の中央であって画面外下方に位置しており、点Ｃと点Ａとは、Ｙ方向に平行な同一直線上に位置している。
【００２５】
単位光学形状１２１は、図３に示すように、スクリーン面に直交する方向（Ｚ方向）に平行であって、単位光学形状１２１の配列方向に平行な断面における断面形状が、略三角形形状である。
単位光学形状１２１は、背面側（−Ｚ側）に凸であり、映像光が入射する第１斜面（第１の面）１２１ａと、これに対向する第２斜面（第２の面）１２１ｂとを有している。１つの単位光学形状１２１において、第１斜面１２１ａは、頂点ａを挟んで第２斜面１２１ｂの上側（＋Ｙ側）に位置している。
【００２６】
第１斜面１２１ａがスクリーン面に平行な面となす角度は、θ１である。第２斜面１２１ｂがスクリーン面に平行な面となす角度は、θ２である。角度θ１，θ２は、θ２＞θ１という関係を満たしている。
この単位光学形状１２１の第１斜面１２１ａ及び第２斜面１２１ｂは、微細かつ不規則な凹凸形状を有している。この微細な凹凸形状は、凸形状と凹形状とが２次元方向に不規則に配列されて形成されており、凸形状及び凹形状は、その大きさや形状、高さ等が不規則である。
【００２７】
単位光学形状１２１の配列ピッチは、Ｐであり、単位光学形状１２１の高さ（厚み方向における頂点ａから単位光学形状１２１間の谷底となる点ｂまでの寸法）は、ｈである。
理解を容易にするために、図３では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、角度θ１が単位光学形状１２１の配列方向においてフレネルセンターとなる点Ｃから離れるにつれて次第に大きくなっている。
また、角度θ１，θ２、配列ピッチＰ等は、映像源ＬＳからの映像光の投射角度（スクリーン１００への映像光の入射角度）や、映像源ＬＳの画素（ピクセル）の大きさ、スクリーン１００の画面サイズ、各層の屈折率等に応じて、適宜設定してよい。例えば、単位光学形状１２１の配列方向に沿って、配列ピッチＰや角度θ１等が変化する形態としてもよい。
【００２８】
なお、本実施形態では、第１光学形状層１２の背面側の面には、サーキュラーフレネルレンズ形状が形成される例を示したが、これに限らず、第１光学形状層１２の背面側の面には、単位光学形状１２１が画面左右方向（Ｘ方向）を長手方向とし、画面上下方向（Ｙ方向）に配列されたリニアフレネルレンズ形状が形成される形態としてもよい。また、柱状の単位プリズムが、画面左右方向（Ｘ方向）を長手方向とし、画面上下方向（Ｙ方向）に複数された形態としてもよい。
【００２９】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を構成する樹脂として、紫外線硬化型樹脂を例に挙げて説明するが、これに限らず、例えば、電子線硬化型樹脂等の他の電離放射線硬化型樹脂により形成してもよい。
【００３０】
反射層１３は、単位光学形状１２１上（第１斜面１２１ａ及び第２斜面１２１ｂ上）に形成されている。この反射層１３は、入射した光の一部を反射し、その他を透過する半透過型の反射層、いわゆるハーフミラーである。
前述のように、第１斜面１２１ａ及び第２斜面１２１ｂ（単位光学形状１２１の表面）には、微細な凹凸形状が形成されており、反射層１３は、この微細な凹凸形状に追従して形成され、かつ、単位光学形状１２１側とは反対側の面にも、この微細かつ不規則な凹凸形状が維持された状態で成膜されている。したがって、反射層１３の映像源側の面（第１光学形状層１２側の面）と、背面側の面（第２光学形状層１４側の面）とは、微細かつ不規則な凹凸形状を有するマット面（粗面）となっている。
この反射層１３は、入射した光の一部を反射面の微細な凹凸形状により拡散して反射し、反射しない他の光を拡散しないで透過するという機能を有する。
【００３１】
本実施形態の反射層１３は、金属を用いる構成と、誘電体多層膜を用いる構成と、単層の誘電体膜を用いる構成とを例示することができ、本実施形態では、金属を用いた構成と、誘電体多層膜を用いた構成と、単層の誘電体膜を用いた構成との３種類を作製した。
反射層１３は、金属を用いる場合、光反射性の高い金属、例えば、Ｃｒ、アルミニウム、銀、ニッケル等により形成され、その厚さは、数１０Å程度である。反射層１３は、これに限らず、例えば、上述のような光反射性の高い金属をスパッタリングして形成してもよい。
また、金属を用いた反射層１３の反射率及び透過率は、所望する光学性能に合わせて適宜に設定できるが、映像光を良好に反射させるとともに、映像光以外の光（例えば、太陽光等の外界からの光）を良好に透過させる観点から、例えば、透過率が３０〜８０％程度、反射率が５〜６０％程度の範囲とすることができる。なお、上記透過率を含めて、以下に示す各層の透過率に関する数値は、空気界面における反射については考慮していない値を示している。また、スクリーン１００の表面（空気界面）における反射は、その表面処理によって大きく左右されるが、例えば、１０％程度を考慮するとよい。
本実施形態で金属を用いて構成した反射層１３は、アルミニウムを蒸着することにより形成されており、反射層１３のみでの透過率が約７０％、反射率が約５％、吸収率が約２５％のハーフミラー状である。
【００３２】
また、反射層１３は、誘電体多層膜を用いる場合、金属蒸着膜等に比べて高い透明性及び反射率を実現可能である。誘電体多層膜は、屈折率の高い誘電体膜（以下、高屈折率誘電体膜という）と屈折率が低い誘電体膜（以下、低屈折率誘電体膜という）とが交互に複数積層されて形成されている。
高屈折率誘電体膜は、例えば、ＴｉＯ２（二酸化チタン）、Ｎｂ２Ｏ５（五酸化ニオブ）、Ｔａ２Ｏ５（五酸化タンタル）、ＺｎＳ（硫化亜鉛）等により形成される。高屈折率誘電体膜の屈折率は、２．０〜２．６程度である。
低屈折率誘電体膜は、例えば、ＳｉＯ２（二酸化ケイ素）、ＭｇＦ２（フッ化マグネシウム）等により形成される。低屈折率誘電体膜の屈折率は、１．３〜１．５程度である。
高屈折率誘電体膜及び低屈折率誘電体膜の膜厚は、約５〜１００ｎｍであり、これらが交互に２〜１０層程積層されて形成されており、誘電体多層膜の総厚は、１０〜１０００ｎｍ程度である。
この誘電体多層膜を用いて構成された反射層１３は、波長域４００〜８００ｎｍの光に対して、その透過率が９０％程度、反射率が１０％程度である。
【００３３】
誘電体多層膜により形成された反射層１３は、アルミニウム等の金属蒸着膜等により形成された反射層に比べて、高い透明性を有しており、また、光の吸収損失が小さく、高い反射率を実現できる。
この反射層１３は、単位光学形状１２１上（第１斜面１２１ａ及び第２斜面１２１ｂ上）に、上述のような誘電体多層膜を蒸着加工する、スパッタ加工する等により、所定の厚さで形成される。
本実施形態で誘電体多層膜を用いて構成した本実施形態の反射層１３は、ＴｉＯ２（二酸化チタン）により形成された高屈折率誘電体膜と、ＳｉＯ２により形成された低屈折率誘電体膜を交互に計５層積層（高屈折率誘電体膜が３層、低屈折率誘電体膜が２層）して形成されており、透過率が約９０％、反射率が約１０のハーフミラー状である。
なお、反射層１３の厚さは、その材質や所望する光学性能等によって適宜設定してよい。
【００３４】
また、反射層１３は、単層の誘電体膜を用いる場合、アルミニウム等の金属蒸着膜等により形成された反射層に比べて、高い透明性を有しており、また、光の吸収損失が小さく、高い反射率を実現できる。
反射層１３は、単層の誘電体膜を用いる場合、上述の第１光学形状層１２及び後述の第２光学形状層１４よりも高い屈折率となる材料により形成されており、例えば、ＴｉＯ２（二酸化チタン）、Ｎｂ２Ｏ５（五酸化ニオブ）、Ｔａ２Ｏ５（五酸化タンタル）、ＺｎＳ（硫化亜鉛）等により形成され、、屈折率は、２．０〜２．６程度である。この誘電体膜（反射層１３）と、第１光学形状層１２（第２光学形状層１４）との屈折率差は、０．５以上であることが望ましい。
【００３５】
ここで、単層の誘電体膜から形成される反射層１３は、第１光学形状層１２よりも屈折率が高くなるため、第１光学形状層１２と界面において入射した映像光を効率よく反射させることができる。また、この誘電体膜による反射層１３は、背面側に第２光学形状層１４が形成されており、第２光学形状層１４が第１光学形状層１２と同等の屈折率を有することから、第２光学形状層１４との界面においても入射した映像光を反射させることができる。
この反射層１３は、単位光学形状１２１上（第１斜面１２１ａ及び第２斜面１２１ｂ上）に、上述のような誘電体膜を蒸着加工する、スパッタ加工する等により、所定の厚さで形成される。
本実施形態の反射層１３は、ＺｎＳ（屈折率２．３６）により形成された誘電体膜である。
【００３６】
第２光学形状層１４は、第１光学形状層１２の背面側（−Ｚ側）に設けられた光透過性を有する層である。
第２光学形状層１４は、単位光学形状１２１間の谷部を埋めるように充填され、第１光学形状層１２の背面側（−Ｚ側）の面は、平坦化である。この第２光学形状層１４の映像源側（＋Ｚ側）の面は、第１光学形状層１２の単位光学形状１２１の略逆型の形状が複数配列されて形成されている。
このような第２光学形状層１４を設けることにより、反射層１３を保護することができる。また、このような第２光学形状層１４を設けることにより、スクリーン１００の背面側に第２支持体３０等を積層しやすくできる。
【００３７】
第２光学形状層１４の屈折率は、第１光学形状層１２と略同等（同等とみなせる程度に小さい屈折率差を有している状態）であることが好ましく、同等であることが望ましい。また、第２光学形状層１４は、前述の第１光学形状層１２と同じ樹脂を用いて形成してもよいし、異なる樹脂を用いて形成してもよい。
本実施形態の第２光学形状層１４は、第１光学形状層１２と同じ紫外線硬化型樹脂により形成されている。
【００３８】
以上の構成のスクリーン１００は、その下方に位置する映像源ＬＳから投射され、スクリーン１００に入射した映像光のうち、一部の映像光は、その単位光学形状１２１の第１斜面１２１ａに入射し、反射層１３によって拡散反射され、観察者Ｏ１側へ出射し、映像が観察者Ｏ１により観察される。
また、スクリーン１００に対する入射角が直角に近い角度で光源側からスクリーン１００へ入射する光は、反射層１３を透過して背面側へ出射する。これと同様にスクリーン１００に対する入射角が直角に近い角度で背面側からスクリーン１００へ入射する光は、反射層１３を透過して光源側へ出射する。スクリーン１００は、拡散粒子を含有する拡散材等を含有していないので、このスクリーン１００を透過する光は、拡散されない。したがって、スクリーン１００を通して、スクリーン１００の向こう側の景色を観察した場合に、スクリーン１００の向こう側の景色がぼやけたり、白くにじんだりすることなく、高い透明性を有して観察することができる。
【００３９】
図５は、スクリーン１００の製造方法を説明する図である。
先ず、基材４１を用意する（図５（ａ））。基材４１は、スクリーン１００の完成後は、第１接着層４０の一部を構成するので、基材４１は、先に示した第１接着層４０の材料を用いて構成される。
次に、基材４１の一方の面に、単位光学形状１２１を賦形する成形型５００に紫外線硬化型樹脂を充填した状態で積層し、紫外線を照射して樹脂を硬化させるＵＶ成形法により第１光学形状層１２を形成する（図５（ｂ）、（ｃ））。このとき、単位光学形状１２１を賦形する成形型の第１斜面１２１ａ及び第２斜面１２１ｂを賦形する面には、微細な凹凸形状が形成されている。この微細な凹凸形状は、成形型５００の第１斜面１２１ａ及び第２斜面１２１ｂを賦形する面に、条件の異なるめっきを２回以上繰り返したり、エッチング処理を行ったりすること等によって形成できる。
【００４０】
第１光学形状層１２を基材４１の一方の面に形成した後、第１斜面１２１ａ及び第２斜面１２１ｂに、反射層１３を蒸着等により形成する（図５（ｄ））。
【００４１】
その後、反射層１３の上から、単位光学形状１２１間の谷部を充填して平面状となるように、紫外線硬化型樹脂を塗布し、基材５１を積層（図５（ｅ））して紫外線硬化型樹脂を硬化させ、第２光学形状層１４及び基材５１を一体に形成する（図５（ｆ））。ここで、基材５１は、スクリーン１００の完成後は、第２接着層５０の一部を構成するので、基材５１は、先に示した第２接着層５０の材料を用いて構成される。
この工程までが、光学機能層１０を作製する光学機能層作製工程に相当する。その後、必要であれば所定の大きさに裁断する等して、次の工程に移る。
【００４２】
次に、基材４１と第１支持体２０との間に接着層シート４２を配置し、さらに、基材５１と第２支持体３０との間に接着層シート５２を配置して積層する（図５（ｇ））。ここで、接着層シート４２は、基材４１と同じ材料とし、接着層シート５２は、基材５１と同じ材料とする。通常は、接着層シート４２と、基材４１と、接着層シート５２と、基材５１とは、いずれも同一材料を用いる。
【００４３】
上記積層体を接着層シート４２、基材４１、接着層シート５２、基材５１が溶融して接着する温度まで加熱及び加圧して、これらが接着されて（接着工程）、合わせ板形態のスクリーン１００が完成する（図５（ｇ））。接着層シート４２と基材４１とは、溶融して一体化して第１接着層４０を形成する。同様に、接着層シート５２と基材５１とは、溶融して一体化して第２接着層５０を形成する。
【００４４】
以上説明したように、本実施形態では、光学機能層を作製する工程において、第１接着層４０及び第２接着層５０と同一の素材を基材４１、５１として用いた。よって、本実施形態のスクリーン１００の製造方法では、この基材４１、５１をそのまま第１接着層４０及び第２接着層５０の一部として利用可能である。したがって、本実施形態のスクリーン１００の製造方法によれば、シワを防止するために従来行われていた基材４１、５１を剥がす工程を行う必要がなく、製造工程を増やすことなくシワを抑制できる。
【００４５】
（変形形態）
以上説明した実施形態に限定されることなく、種々の変形や変更が可能であって、それらも本発明の範囲内である。
【００４６】
（１）実施形態において、映像表示装置１は、建物の窓ガラスやショーウィンドウ等に代えてスクリーン１００を配置して利用する例を挙げて説明した。これに限らず、例えば、窓ガラスに限らず、展示会等における映像表示用途として利用したり、パーティションの一部や、パーティションの代わりとしてスクリーン１００を配置したりする構成としてもよい。また、映像表示装置１は、車両、船舶、航空機等の乗り物の窓ガラスに代えてスクリーン１００を配置する構成であってもよい。さらに、反射層１３を拡散反射ではなく鏡面反射するように構成して、ヘッドアップディスプレイ（ＨＵＤ）の用途に用いる光学部材としてもよい。
【００４７】
（２）実施形態において、スクリーン１００の使用環境や使用目的等に応じて、スクリーン１００に、例えば、反射防止機能、紫外線吸収機能、防汚機能、帯電防止機能等、適宜必要な機能を有する層を１つ又は複数選択して設けてもよい。さらに、第１支持体２０の映像源側にタッチパネル層等を設けてもよい。
特に、スクリーン１００の映像源側の表面に反射防止層を設けた場合には、反射層１３で反射した映像光が、映像源側の空気との界面で反射して、背面側から出射して背面側に映像が漏れたように表示されることを防止できる。
【００４８】
（３）実施形態において、反射層１３の表面（単位光学形状１２１の表面）の微細な凹凸形状は、その大きさや形状、配列等が不規則である例を示したが、大きさや形状、配列のいずれかが規則性を有していてもよい。
【００４９】
（４）実施形態において、映像源ＬＳは、スクリーン１００の画面左右方向の中央であって画面外の下方に位置する例を挙げて説明したが、これに限らず、例えば、スクリーン１００の斜め下側等に配置され、スクリーン１００に対して画面左右方向において斜め方向光から映像光を投射する形態としてもよい。
この場合、単位光学形状１２１の配列方向は、映像源ＬＳの位置に合わせて傾けた形態とする。このような形態とすることにより、映像源ＬＳの位置等を自由に設定することができる。
【００５０】
（５）実施形態において、単位光学形状１２１は、第１斜面１２１ａ及び第２斜面１２１ｂが平面により形成される例を示したが、これに限らず、例えば、曲面と平面とが組み合わされた形態としてもよいし、折れ面状としてもよい。
また、単位光学形状１２１は、３つ以上の複数の面によって形成される多角形形状としてもよい。
また、第１斜面１２１ａ及び第２斜面１２１ｂは、微細かつ不規則な凹凸形状が形成されている例を示したが、これに限らず、第１斜面１２１ａにのみ微細かつ不規則な凹凸形状が形成されている形態としてもよい。
また、反射層１３は、単位光学形状１２１の第１斜面１２１ａ及び第２斜面１２１ｂに形成される例を示したが、これに限らず、例えば、第１斜面１２１ａの少なくとも一部に形成される形態としてもよい。
【００５１】
なお、各実施形態及び変形形態は、適宜組み合わせて用いることもできるが、詳細な説明は省略する。また、本発明は以上説明した各実施形態によって限定されることはない。
【符号の説明】
【００５２】
１        映像表示装置
１０      光学機能層
１２      第１光学形状層
１３      反射層
１４      第２光学形状層
２０      第１支持体
３０      第２支持体
４０      第１接着層
４１      基材
４２      接着層シート
５０      第２接着層
５１      基材
５２      接着層シート
１００    スクリーン（光学部材）
１２１    単位光学形状
１２１ａ  第１斜面
１２１ｂ  第２斜面
５００    成形型
【図１】
2020144174.tif 000003
【図２】
2020144174.tif 000004
【図３】
2020144174.tif 000005
【図４】
2020144174.tif 000006
【図５】
2020144174.tif 000007